(57)【要約】洗浄性界面活性剤、溶媒、又はこれらの混合物と組み合わせて疎水変性カチオン性ポリマーを含む液体硬質表面洗浄組成物は、表面における残渣を低減し、処理後の表面のスポッティングを低減し、表面の光沢の維持を改善するので、必要な洗浄頻度が低くなる。【特許請求の範囲】
【請求項１】
液体硬質表面洗浄組成物であって、
（ａ）以下の式を有する疎水変性カチオン性ポリマー：
【化１】
2019529632.tif 000008
（式中、
ｎ、ｍ、ｐ、及びｓは、それぞれのモノマーのモルパーセントであり、
ｎは、８０〜９９．５であり、
ｍは、０〜１０であり、
ｐは、０．２５〜２０であり、
ｓは、０〜１０であり、
ｍ＋ｓは、少なくとも０．０１であり、
ただし、モルパーセントの合計は１００％になり、
Ｒ１、Ｒ２、Ｒ３、及びＲ４は、独立して、Ｈ又はＣＨ３であり、
Ｒ５は、Ｃ７〜Ｃ２１のアルキル基であり、
Ｒ６、Ｒ７、Ｒ８は、独立して、水素及びＣ１〜Ｃ４アルキルからなる群から選択され、
Ｙは、独立して、Ｏ又はＮＨであり、
Ｚは、シリコーン又はその誘導体であり、
ｋは、独立して、１〜１８であり、
Ｘ−は、アニオン、好ましくは、Ｃｌ−、Ｂｒ−、Ｉ−、ＨＳＯ４−、ＣＨ３ＳＯ４−、Ｃ２Ｈ５ＳＯ４−、又はＯＨ−である）、及び
（ｂ）洗浄性界面活性剤、溶媒、又はこれらの混合物
を含む、液体硬質表面洗浄組成物。
【請求項２】
前記疎水変性カチオン性ポリマーが、１，５００，０００ダルトン未満、好ましくは、１００，０００〜５００，０００ダルトンの分子量を有する、請求項１に記載の硬質表面洗浄組成物。
【請求項３】
前記疎水変性カチオン性ポリマーにおいて、ｎが８５〜９７、好ましくは８８〜９５である、請求項１又は２に記載の硬質表面洗浄組成物。
【請求項４】
前記疎水変性カチオン性ポリマーにおいて、ｍが０．２５〜７、好ましくは０．５〜５である、請求項１〜３のいずれか一項に記載の硬質表面洗浄組成物。
【請求項５】
前記疎水変性カチオン性ポリマーにおいて、ｐが０．５〜１５、好ましくは２〜１０である、請求項１〜４のいずれか一項に記載の硬質表面洗浄組成物。
【請求項６】
前記疎水変性カチオン性ポリマーにおいて、ｓが０．０１〜１、好ましくは０．０１〜０．５である、請求項１〜５のいずれか一項に記載の硬質表面洗浄組成物。
【請求項７】
前記疎水変性カチオン性ポリマーにおいて、ｓが０である、請求項１〜５のいずれか一項に記載の硬質表面洗浄組成物。
【請求項８】
前記疎水変性カチオン性ポリマーにおいて、Ｒ５がＣ１６〜Ｃ２０、より好ましくはＣ１８のアルキル基である、請求項１〜７のいずれか一項に記載の硬質表面洗浄組成物。
【請求項９】
前記疎水変性カチオン性ポリマーにおいて、Ｒ６がＨであり、Ｒ７、Ｒ８が、独立して、メチル、エチル、及びプロピルからなる群から選択される、請求項１〜８のいずれか一項に記載の硬質表面洗浄組成物。
【請求項１０】
前記疎水変性カチオン性ポリマーにおいて、Ｚが、ポリジメチルシロキサン、アミノシリコーン、カチオン性シリコーン、シリコーンポリエーテル、環状シリコーン、フッ素化シリコーン、及びこれらの混合物からなる群から選択されるシリコーン又は誘導体、好ましくはポリジメチルシロキサンである、請求項１〜６又は８〜９のいずれか一項に記載の硬質表面洗浄組成物。
【請求項１１】
Ｚが、２５０〜４０，０００、好ましくは５００〜２０，０００、より好ましくは１，０００〜１０，０００Ｄａの分子量を有するシリコーン又は誘導体である、請求項１０に記載の硬質表面洗浄組成物。
【請求項１２】
前記組成物が、アニオン性界面活性剤、非イオン界面活性剤、及びこれらの混合物からなる群から選択される洗浄性界面活性剤を、好ましくは前記硬質表面洗浄組成物の０．０００２５重量％〜１５重量％、より好ましくは０．００２重量％〜７重量％、より好ましくは０．００４重量％〜３．０重量％、最も好ましくは０．０１重量％〜０．６５重量％の濃度で含む、請求項１〜１１のいずれか一項に記載の硬質表面洗浄組成物。
【請求項１３】
前記硬質表面洗浄組成物が、溶媒を含み、好ましくは全組成物の０．００５重量％〜１０重量％、好ましくは０．０１重量％〜７．０重量％、より好ましくは０．０２５重量％〜５．５重量％、最も好ましくは０．２５重量％〜３．０重量％の濃度で前記溶媒を含む、請求項１〜１２のいずれか一項に記載の硬質表面洗浄組成物。
【請求項１４】
請求項１〜１３のいずれか一項に記載の硬質表面洗浄組成物を含む、ワイプ又はパッド。
【請求項１５】
請求項１〜１３のいずれか一項に記載の硬質表面洗浄組成物の使用であって、
（ａ）硬質表面に対するグリースの付着を低減する、
（ｂ）硬質表面における石鹸かすのスポッティングを防止する、
（ｃ）微生物の付着を低減する、及び／又は表面におけるバイオフィルムの発達を低減する、及び／又は表面からのバイオフィルムの洗浄の容易性を増大させる、並びに
（ｄ）これらの組み合わせ、
のための、使用。
【発明の詳細な説明】
【技術分野】
【０００１】
疎水変性カチオン性ポリマーを含む硬質表面洗浄組成物、及びスミアリングを低減し、硬質表面におけるスポッティングを低減し、グリース除去を改善することによる、光沢の改善におけるその使用。
【背景技術】
【０００２】
硬質表面洗浄組成物は、硬質表面を洗浄及び処理するために使用される。好ましくは、硬質表面洗浄組成物は、「汎用」硬質表面洗浄組成物となるように処方される。すなわち、硬質表面洗浄組成物は、できるだけ多くの異なる種類の表面を洗浄するのに好適であるように処方される。
【０００３】
硬質表面を洗浄した後、ユーザは、処理された表面に光沢があることを期待する。実際に、相対光沢は表面清浄度の指標であると考えられる。しかし、表面における残渣のスミアリングによって光沢の印象が低下する。このような残渣は、残留油又は更には界面活性剤であり得る。更に、表面上の残留スポットは、表面の光沢の印象を著しく低下させる。更に、光沢を維持することによって、必要な洗浄の頻度が低くなる。このように、必要な洗浄頻度が低くなるように、表面上の残渣を低減し、処理後の表面のスポッティングを低減し、表面の光沢の維持を改善する硬質表面洗浄組成物が依然として必要とされている。
【０００４】
米国特許第６，４８２，７９３号は、硬質表面に次回の洗浄性能を提供するポリアルコキシレングリコール含有ポリマーを含む液体硬質表面洗浄組成物に関する。米国特許第４，８８９，８８７号は、架橋可能なコポリマー及びそれを含有するゲル化可能な酸組成物に関する。コポリマーは、アクリルアミド、メタクリルアミドプロピルトリメチルアンモニウムクロリド（methacrylamidopropyltrimethylammonium chloride、ＭＡＰＴＡＣ）、及びｎ−ブチルメタクリレート（n-Butyl Methacrylate、ｎＢＭＡ）モノマーなどのＮ−（アルコキシメチレン）アクリリル部分を含有する。カチオン性モノマーに疎水性修飾を適用してもよい。米国特許第４，９５９，４３２号は、酸増粘剤組成物及びそれを含む酸増粘組成物の調製に好適なカチオン性、アニオン性、及び両性のポリマーに関する。ポリマーは、水溶性又は水分散性であり、指定のイオン性電荷を有するアクリリルモノマーに基づく。これらは、地下層からのガス及び油の回収などの用途のために酸溶液を増粘することができる。米国特許第７，６７１，００７号は、有益剤を付着させるための疎水変性カチオン性ポリマーを含むパーソナルケア／パーソナル洗浄組成物に関する。米国特許第７，７２３，４５３号は、メタクリルアミドプロピルトリメチルアンモニウムクロリド（ＭＡＰＴＡＣ）、及びｎ−ドデシルメタクリルアミド（ＤＭＡ）、ｎ−（ｎ−オクタデシルアクリルアミド）（ＯＤＡ）、ｎ−ｔｅｒｔ−オクチルアクリルアミド（ｔＯＡ）などを含むコポリマーを含む、粒子用の付着助剤として使用するための疎水変性カチオン性ポリマーに関する。米国特許出願公開第２０１２０１７１２６７（Ａ１）号は、四級アンモニウムカチオンの炭酸塩／重炭酸塩、有機酸、過酸化水素、及びカチオン性ポリマーを含む抗菌組成物に関する。カチオン性ポリマーは、（３−アクリルアミドプロピル）トリメチルアンモニウムクロリドモノマー又は［２−（アクリロイルオキシ）エチル］トリメチルアンモニウムクロリドモノマーのいずれかを含む。また、カチオン性ポリマーは、トリメチルアンモニウムクロリドモノマーのうちの１つと組み合わせて、極性水溶性モノマー、疎水性シリコーン含有モノマー、又は両種類のモノマーの混合物から選択される別のモノマーを含む。欧州特許第２０３９７４７号は、ポリアルコキシレートトリシロキサンを含む組成物で硬質表面を処理するプロセス、具体的には、水平硬質表面を処理するプロセスに関する。欧州特許第２０３９７４８（Ａ１）号は、ポリアルコキシレートトリシロキサンを含む組成物で硬質表面を処理するプロセス、具体的には、傾斜又は垂直硬質表面を処理するプロセスに関する。
【０００５】
米国特許第６，５５１，９８５（Ｂ１）号は、石灰かす含有汚れを硬質表面から除去するために、スルファミン酸、第二酸、並びにスルホン化ポリスチレンポリマー、ビニルピロリドンホモポリマー又はコポリマー、及びこれらの混合物からなる群から選択される酸安定性ポリマーを有する液体酸性組成物に関する。
【先行技術文献】
【特許文献】
【０００６】
【特許文献１】米国特許第６，４８２，７９３号
【特許文献２】米国特許第４，８８９，８８７号
【特許文献３】米国特許第４，９５９，４３２号
【特許文献４】米国特許第７，６７１，００７号
【特許文献５】米国特許第７，７２３，４５３号
【特許文献６】米国特許出願公開第２０１２０１７１２６７（Ａ１）号
【特許文献７】欧州特許第２０３９７４７号
【特許文献８】欧州特許第２０３９７４８（Ａ１）号
【特許文献９】米国特許第６，５５１，９８５（Ｂ１）号
【発明の概要】
【課題を解決するための手段】
【０００７】
本発明は、洗浄性界面活性剤、溶媒、又はこれらの混合物と組み合わせて疎水変性カチオン性ポリマーを含む液体硬質表面洗浄組成物に関する。
【発明を実施するための形態】
【０００８】
疎水変性カチオン性ポリマーを含む本発明の硬質表面クリーニング組成物は、結果として、低レベルの界面活性剤若しくは溶媒又はこれらの混合物しか存在していなくても、表面の残渣を低減し、スポッティングを低減し、それによって、光沢の印象を改善することが見出された。本発明の組成物は、処理された硬質表面へのグリースの付着を低減する、硬質表面における石鹸かすのスポッティングを防止する、及びこれらの組み合わせを提供することが見出された。
【０００９】
本発明の組成物は、より長時間持続する表面清浄度、特に光沢を提供する。理論に束縛されるものではないが、硬質表面洗浄組成物は、油っぽい石鹸かすなどの汚れについて表面のべたつきを少なくし、その結果、次回の洗浄を改善しかつ洗浄頻度を低くすると考えられる。
【００１０】
本明細書で定義するとき、ある成分が「本質的に含まれない」とは、その成分が、対応するプレミックス又は組成物に故意に全く取り込まれないことを意味する。好ましくは、ある成分が「本質的に含まれない」とは、その成分が、対応するプレミックス又は組成物中に全く存在しないことを意味する。
【００１１】
本明細書で使用するとき、「等方性」とは、透明な混合物が、視認できる濁り、相分離、及び／又は分散粒子をほとんど又は全く有さず、かつ均一の透明な外観を有することを意味する。
【００１２】
本明細書で定義するとき、「安定した」とは、米国特許出願第２００８／０２６３７８０（Ａ１）号に記載されるＦｌｏｃ  Ｆｏｒｍａｔｉｏｎ  Ｔｅｓｔを用いて測定されるとき、少なくとも約２週間、又は少なくとも４週間、又は約１ヶ月超若しくは４ヶ月超の期間、２５℃に維持されたプレミックスに対して、視認できる相分離が観測されないことを意味する。
【００１３】
本明細書で使用される全てのパーセント、比率及び割合は、別段の定めがない限り、プレミックスの重量パーセントである。全ての平均値は、特に明示的に指示されない限り、プレミックスの「重量で」計算される。
【００１４】
全ての測定は、別段の定めがない限り、２５℃で実施される。
【００１５】
特に明記しない限り、成分又は組成物の濃度は全て、当該成分又は組成物の活性部分に関するものであり、かかる成分又は組成物の市販の供給源中に存在し得る不純物、例えば、残留溶媒又は副生成物は除外される。
【００１６】
液体硬質表面洗浄組成物
「液体硬質表面洗浄組成物」とは、本明細書では、例えば、家庭、特に国内の家庭においてみられる硬質表面を洗浄するための液体組成物を意味する。洗浄される表面としては、セラミック、ビニル、無ワックスビニル、リノリウム、メラミン、ガラス、鋼、台所の調理台表面、任意のプラスチック、樹脂加工木材、金属、板張りの床及び木製家具などの木材、又は任意の塗装若しくはニス塗り若しくは封止処理された表面などのような様々な材料からできている、台所及び浴室、例えば、床、壁、タイル、窓、食器棚、流し、シャワー、樹脂加工されたシャワーカーテン、洗面台、トイレ、什器及び付属品が挙げられる。家庭の硬質表面はまた、家庭用電化製品を含み、その例としては、冷蔵庫、冷凍庫、洗濯機、自動式乾燥機、オーブン、マイクロ波オーブン、食洗機等が挙げられるが、これらに限られない。かかる硬質表面は、個人の家庭において、また商用環境、企業環境、及び工業環境においても見出され得る。他の洗浄される表面としては、自動車のガラス及び自動車の本体などの自動車の表面が挙げられる。
【００１７】
好ましい一実施形態において、本明細書における液体組成物は、水性組成物である。したがって、当該液体組成物は、全組成物の３０重量％〜９９．５重量％、好ましくは５０重量％〜９８重量％、より好ましくは８０重量％〜９７重量％の水を含み得る。
【００１８】
「汎用」硬質表面洗浄組成物では、ｐＨは、好ましくは７．０〜１２、より好ましくは７．５〜１１．５、更により好ましくは９．５〜１１．３、最も好ましくは１０〜１１である。これら好ましいアルカリ性ｐＨ範囲では、油汚れ及び粒子状の油汚れの洗浄性能が更に向上すると考えられる。したがって、本明細書の組成物は、適宜ｐＨを調整するために酸又は塩基を更に含んでもよい。
【００１９】
石灰かすの除去を改善するためには、酸性ｐＨが好ましい。したがって、このような酸性硬質表面洗浄組成物は、７未満のｐＨを有する。好ましくは、当該組成物は、１〜６、より好ましくは２．０〜４．０、更により好ましくは２．５〜３．７、最も好ましくは２．１〜２．４のｐＨを有する。洗浄組成物のｐＨは、２５℃で測定される。典型的には、酸系は、当業者に周知の任意の有機若しくは無機酸、又はこれらの混合物を含み得る。好ましい実施形態では、酸系は、クエン酸、ギ酸、酢酸、マレイン酸、乳酸、グリコール酸、コハク酸、グルタル酸、アジピン酸、スルファミン酸、硫酸、塩酸、リン酸、硝酸、メタンスルホン酸、及びこれらの混合物からなる群から選択される酸、好ましくは、クエン酸、ギ酸、酢酸、乳酸、リン酸、及びこれらの混合物からなる群から選択される酸を含む。酸系の一部としては、ギ酸が特に好ましい。ギ酸は、特に腐食しやすい表面について、改善された表面の安全性と合わせて優れた石灰かす除去性能を提供することが見出された。組成物は、好ましくは、全組成物の０．０１重量％〜１５重量％、好ましくは０．５重量％〜１０重量％、より好ましくは２重量％〜８重量％、最も好ましくは４重量％〜７．５重量％の濃度の酸系を含む。
【００２０】
また、酸性硬質表面洗浄組成物は、全体のｐＨが酸性のままである限り、アルカリ性物質を含んでいてもよい。アルカリ性物質の例は、水酸化ナトリウム、水酸化カリウム及び／若しくは水酸化リチウム、並びに／又はアルカリ金属酸化物、例えば、酸化ナトリウム及び／若しくはカリウム、又はこれらの混合物、並びに／又はモノエタノールアミン及び／若しくはトリエタノールアミンである。他の好適な塩基としては、アンモニア、炭酸アンモニウム、コリン塩基などが挙げられる。好ましくは、アルカリ性の源は、水酸化ナトリウム又は水酸化カリウム、好ましくは水酸化ナトリウムである。典型的には、アルカリ性物質の量は、組成物の０．００１重量％〜２０重量％、好ましくは０．０１重量％〜１０重量％、より好ましくは０．０５重量％〜３重量％である。
【００２１】
本明細書における使用に好適な酸は、有機及び／又は無機酸である。本明細書における使用に好ましい有機酸は、６未満のｐＫａを有する。好適な有機酸は、クエン酸、乳酸、グリコール酸、コハク酸、グルタル酸及びアジピン酸、並びにこれらの混合物からなる群から選択される。好適な無機酸は、塩酸、硫酸、リン酸、及びこれらの混合物からなる群から選択することができる。
【００２２】
存在する場合、このような酸の典型的な濃度は、全組成物の０．０１重量％〜５．０重量％、好ましくは０．０４重量％〜３．０重量％、より好ましくは０．０５重量％〜１．５重量％である。
【００２３】
本明細書において使用される好適な塩基は、有機及び／又は無機塩基である。本明細書における使用に好適な塩基は、水酸化ナトリウム、水酸化カリウム、及び／又は水酸化リチウムのような苛性アルカリ、並びに／又は酸化ナトリウム、及び／又は酸化カリウムのようなアルカリ金属酸化物、あるいはそれらの混合物である。好ましい塩基は苛性アルカリであり、より好ましくは、水酸化ナトリウム及び／又は水酸化カリウムである。
【００２４】
その他の好適な塩基としては、アンモニア、アンモニウムカーボネート、Ｋ２ＣＯ３、Ｎａ２ＣＯ３、並びにアルカノールアミン（モノエタノールアミン、トリエタノールアミン、アミノメチルプロパノール、及びこれらの混合物など）が挙げられる。
【００２５】
存在する場合、このような塩基の典型的な濃度は、全組成物の０．０１重量％〜５．０重量％、好ましくは０．０５重量％〜３．０重量％、及びより好ましくは０．１重量％〜２．０重量％である。
【００２６】
別段の定めがない限り、全ての比率は重量／重量レベルとして計算される。
【００２７】
疎水変性カチオン性ポリマー：
液体硬質表面洗浄組成物は、以下の式を有する疎水変性カチオン性ポリマーを含む：
【００２８】
【化１】
2019529632.tif 000002
（式中、
ｎ、ｍ、ｐ、及びｓは、それぞれのモノマーのモルパーセントであり、
ｎは、８０〜９９．５、好ましくは８５〜９７、より好ましくは８８〜９５であり、
ｍは、０〜１０、好ましくは０．２５〜７、より好ましくは０．５〜５であり、
ｐは、０．２５〜２０、好ましくは、ｐは、０．５〜１５、より好ましくは２〜１０であり、
ｓは、０〜１０、好ましくは０．０１〜１、より好ましくは０．０１〜０．５であり；
ｍ＋ｓは、少なくとも０．０１であり、
ただし、モルパーセントの合計は１００％になり、
Ｒ１、Ｒ２、Ｒ３、及びＲ４は、独立して、Ｈ又はＣＨ３であり、
Ｒ５は、Ｃ７〜Ｃ２１のアルキル基であり、好ましくは、Ｒ５は、Ｃ１６〜Ｃ２０、より好ましくはＣ１７のアルキル基であり、
Ｒ６、Ｒ７、Ｒ８は、独立して、水素及びＣ１〜Ｃ４アルキルからなる群から選択され、Ｒ６は、好ましくは、Ｈであり、Ｒ７、Ｒ８は、好ましくは、独立して、メチル、エチル、及びプロピルからなる群から選択され、
Ｙは、独立して、Ｏ又はＮＨであり、
Ｚは、シリコーン又はその誘導体であり、Ｚは、ポリジメチルシロキサン、アミノシリコーン、カチオン性シリコーン、シリコーンポリエーテル、環状シリコーン、フッ素化シリコーン、及びこれらの混合物からなる群から選択されるシリコーン又は誘導体であってよく、好ましくは、Ｚは、ポリジメチルシロキサンであり、Ｚは、２５０〜４０，０００、好ましくは５００〜２０，０００、より好ましくは１，０００〜１０，０００Ｄａの分子量を有するシリコーン又は誘導体であってよく、
ｋは、独立して、１〜１２、好ましくは２〜８、より好ましくは２〜５であり、
Ｘ−は、アニオン、好ましくは、Ｃｌ−、Ｂｒ−、Ｉ−、ＨＳＯ４−、ＣＨ３ＳＯ４−、Ｃ２Ｈ５ＳＯ４−、又はＯＨ−である）。
【００２９】
好ましい実施形態では、ｍは少なくとも０．０１であり、ｓは０である。
【００３０】
疎水変性カチオン性ポリマーは、１，５００，０００ダルトン未満、好ましくは、１００，０００〜５００，０００ダルトンの分子量を有する。
【００３１】
洗浄性界面活性剤：
液体硬質表面洗浄組成物は、洗浄性界面活性剤を含み得る。好適な洗浄性界面活性剤は、アニオン性界面活性剤、非イオン性界面活性剤、両性界面活性剤、双極性イオン界面活性剤、及びこれらの混合物からなる群から選択され得る。好ましい洗浄性界面活性剤は、アニオン性界面活性剤、非イオン性界面活性剤、及びこれらの混合物である。
【００３２】
洗浄性界面活性剤の総量は、組成物の０．０００２５重量％〜２０重量％、好ましくは０．００２重量％〜１０重量％、より好ましくは０．００４重量％〜４．０重量％、最も好ましくは０．０１重量％〜０．７５重量％の濃度で存在し得る。
【００３３】
好適な非イオン性界面活性剤は、アルコキシル化非イオン性界面活性剤、アルキルポリグリコシド、アミンオキシド、及びこれらの混合物からなる群から選択され得る。典型的には、液体硬質表面洗浄組成物は、全組成物の０．０００２５重量％〜１５重量％、好ましくは０．００２重量％〜７重量％、より好ましくは０．００４重量％〜３．０重量％、最も好ましくは０．０１重量％〜０．６５重量％の当該非イオン性界面活性剤を含み得る。
【００３４】
硬質表面洗浄組成物は、全組成物の０．０００２５重量％〜１０．０重量％、好ましくは０．０００８重量％〜５．０重量％、より好ましくは０．００１９重量％〜１．０重量％、最も好ましくは０．００３５重量％〜０．５重量％のアルコキシル化アルコール、好ましくはエトキシル化アルコールを含み得る。
【００３５】
好適なアルコキシル化非イオン性界面活性剤としては、一級Ｃ６〜Ｃ１６アルコールポリグリコールエーテル、すなわち、アルキル部分に６〜１６個の炭素原子を有し、４〜３０個のエチレンオキシド（ＥＯ）単位を有するエトキシル化アルコールが挙げられる。例えばＣ９〜１４に言及する場合には、平均の炭素を意味し、代替的に例えばＥＯ８に言及する場合には、平均のエチレンオキシド単位を意味する。
【００３６】
好適なアルコキシル化非イオン性界面活性剤は、式：ＲＯ−（Ａ）ｎＨに係るものであり、式中、Ｒは、Ｃ６〜Ｃ１８、好ましくはＣ８〜Ｃ１６、より好ましくはＣ８〜Ｃ１２アルキル鎖、又はＣ６〜Ｃ２８アルキルベンゼン鎖であり、Ａは、エトキシ又はプロポキシ又はブトキシ単位であり、ｎは１〜３０、好ましくは１〜１５、より好ましくは４〜１２、更により好ましくは５〜１０である。本明細書における使用に好ましいＲ鎖は、Ｃ８〜Ｃ２２アルキル鎖である。本明細書における使用に更により好ましいＲ鎖は、Ｃ９〜Ｃ１２アルキル鎖である。Ｒは、直鎖又は分枝鎖のアルキル鎖であってよい。
【００３７】
本明細書に用いるのに好適なエトキシル化非イオン性界面活性剤は、Ｄｏｂａｎｏｌ（登録商標）９１−２．５（ＨＬＢ＝８．１；Ｒは、Ｃ９及びＣ１１アルキル鎖の混合物であり、ｎは２．５である）、Ｄｏｂａｎｏｌ（登録商標）９１−１０（ＨＬＢ＝１４．２；Ｒは、Ｃ９〜Ｃ１１アルキル鎖の混合物であり、ｎは１０である）、Ｄｏｂａｎｏｌ（登録商標）９１−１２（ＨＬＢ＝１４．５；Ｒは、Ｃ９〜Ｃ１１アルキル鎖の混合物であり、ｎは１２である）、Ｇｒｅｅｎｂｅｎｔｉｎｅ  ＤＥ８０（ＨＬＢ＝１３．８、９８重量％  Ｃ１０直鎖アルキル鎖、ｎは８である）、Ｍａｒｌｉｐａｌ  １０−８（ＨＬＢ＝１３．８、Ｒは、Ｃ１０直鎖アルキル鎖であり、ｎは８である）、Ｌｉａｌｅｔｈｌ（登録商標）１１−５（Ｒは、Ｃ１１アルキル鎖であり、ｎは５である）、Ｉｓａｌｃｈｅｍ（登録商標）１１−５（Ｒは、直鎖及び分枝鎖Ｃ１１アルキル鎖の混合物であり、ｎは５である）、Ｌｉａｌｅｔｈｌ（登録商標）１１−２１（Ｒは、直鎖及び分枝鎖Ｃ１１アルキル鎖の混合物であり、ｎは２１である）、Ｉｓａｌｃｈｅｍ（登録商標）１１−２１（Ｒは、Ｃ１１分枝鎖アルキル鎖であり、ｎは２１である）、Ｅｍｐｉｌａｎ（登録商標）ＫＢＥ２１（Ｒは、Ｃ１２及びＣ１４アルキル鎖の混合物であり、ｎは２１である）、又はこれらの混合物である。本明細書で好ましいものとしては、Ｄｏｂａｎｏｌ（登録商標）９１−５、Ｎｅｏｄｏｌ（登録商標）１１−５、Ｌｉａｌｅｔｈｌ（登録商標）１１−２１  Ｌｉａｌｅｔｈｌ（登録商標）１１−５  Ｉｓａｌｃｈｅｍ（登録商標）１１−５  Ｉｓａｌｃｈｅｍ（登録商標）１１−２１  Ｄｏｂａｎｏｌ（登録商標）９１−８、又はＤｏｂａｎｏｌ（登録商標）９１−１０、又はＤｏｂａｎｏｌ（登録商標）９１−１２、あるいはこれらの混合物がある。これらのＤｏｂａｎｏｌ（登録商標）／Ｎｅｏｄｏｌ（登録商標）界面活性剤は、ＳＨＥＬＬより市販されている。これらのＬｕｔｅｎｓｏｌ（登録商標）界面活性剤は、ＢＡＳＦより市販され、これらのＴｅｒｇｉｔｏｌ（登録商標）界面活性剤は、Ｄｏｗ  Ｃｈｅｍｉｃａｌｓより市販されている。
【００３８】
本明細書における使用に好適なアルコキシル化非イオン性界面活性剤の化学的な調製プロセスとしては、所望の割合での対応するアルコールとアルキレンオキシドとの縮合が挙げられる。ＯＸＯプロセス及びその様々な派生物を含むこのようなプロセスは、当業者に周知であり、当該技術分野において広く説明されている。ＯＸＯプロセスを使用して生成される好適なアルコキシル化脂肪族アルコール非イオン性界面活性剤は、Ｓｈｅｌｌ  Ｃｈｅｍｉｃａｌ  Ｃｏｍｐａｎｙによって商標名ＮＥＯＤＯＬ（登録商標）として販売されている。あるいは、好適なアルコキシル化非イオン性界面活性剤は、ＯＸＯ又はチーグラープロセスの派生物に加えて、チーグラープロセスなどのその他のプロセスによって調製することができる。
【００３９】
好ましくは、当該アルコキシル化非イオン性界面活性剤は、Ｃ９〜１１  ＥＯ５アルキルエトキシレート、Ｃ１２〜１４  ＥＯ５アルキルエトキシレート、Ｃ１１  ＥＯ５アルキルエトキシレート、Ｃ１２〜１４  ＥＯ２１アルキルエトキシレート、若しくはＣ９〜１１  ＥＯ８アルキルエトキシレート、又はこれらの混合物である。最も好ましくは、当該アルコキシル化非イオン性界面活性剤は、Ｃ１１  ＥＯ５アルキルエトキシレート又はＣ９〜１１  ＥＯ８アルキルエトキシレート、又はこれらの混合物である。
【００４０】
アルキルポリグリコシドは、当業者に周知の生分解性の非イオン性界面活性である。好適なアルキルポリグリコシドは、一般式ＣｎＨ２ｎ＋１Ｏ（Ｃ６Ｈ１０Ｏ５）ｘＨを有することができ、式中、ｎは好ましくは９〜１６、より好ましくは１１〜１４であり、ｘは好ましくは１〜２、より好ましくは１．３〜１．６である。このようなアルキルポリグリコシドは、消泡活性と洗浄力との良好なバランスを提供する。アルキルポリグリコシド界面活性剤は、各種市販されている。非常に好適なアルキルポリグリコシド生成物の例は、Ｐｌａｎｔｅｒｅｎ  ＡＰＧ  ６００であり、これは、本質的に、ｎが約１３であり、ｘが約１．４であるアルキルポリグリコシドの水性分散液である。
【００４１】
好適なアミンオキシド界面活性剤としては、Ｒ１Ｒ２Ｒ３ＮＯが挙げられ、式中、Ｒ１、Ｒ２及びＲ３のそれぞれは、独立して、１０〜３０個の炭素原子を有する飽和又は不飽和、置換又は非置換、直鎖又は分枝鎖の炭化水素鎖である。好ましいアミンオキシド界面活性剤は、以下の式：Ｒ１Ｒ２Ｒ３ＮＯ（式中、Ｒ１は、１〜３０個、好ましくは６〜２０個、より好ましくは８〜１６個の炭素原子を含む炭化水素鎖であり、Ｒ２及びＲ３は、独立して、１〜４個の炭素原子、好ましくは１〜３個の炭素原子を含む飽和又は不飽和、置換又は非置換、直鎖又は分枝鎖の炭化水素鎖であり、より好ましくはメチル基である）を有するアミンオキシドである。Ｒ１は、飽和又は不飽和、置換又は非置換、直鎖又は分枝鎖の炭化水素鎖であってよい。好ましくは、液体硬質表面洗浄組成物は、当該組成物の０．０００２５重量％〜２．０重量％、好ましくは０．０００５重量％〜１．０重量％、より好ましくは０．００１重量％〜０．５重量％、最も好ましくは０．００２５重量％〜０．２５重量％のアミンオキシド界面活性剤を含む。
【００４２】
極めて好ましいアミンオキシドは、Ａｌｂｒｉｇｈｔ  ＆  Ｗｉｌｓｏｎから市販されているＣ１２〜Ｃ１４ジメチルアミンオキシド、ＣｌａｒｉａｎｔからＧｅｎａｍｉｎｏｘ（登録商標）ＬＡの商標名で市販されているＣ１２〜Ｃ１４アミンオキシド、又はＡＫＺＯ  Ｎｏｂｅｌから市販されているＡＲＯＭＯＸ（登録商標）ＤＭＣである。
【００４３】
非イオン性界面活性剤は、好ましくは、９５０ｇ／モル未満、より好ましくは５００ｇ／モル未満の分子量を有する低分子量非イオン性界面活性剤である。
【００４４】
好ましくは、硬質表面洗浄組成物は、１．０重量％未満、より好ましくは０．２重量％未満、更により好ましくは０．０５重量％未満のアニオン性界面活性剤を含む。最も好ましくは、硬質表面洗浄組成物は、アニオン性界面活性剤を本質的に含まないか又は含まない。使用される場合、好適なアニオン性界面活性剤としては、アルキルサルフェート、アルキルアルコキシル化サルフェート、スルホン酸又はスルホネート界面活性剤、及びこれらの混合物が挙げられる。
【００４５】
硬質表面洗浄組成物は、好ましくは、両性、双極性イオン、及びこれらの混合物から選択される、更なる界面活性剤を３．０重量％以下含み得る。より好ましくは、硬質表面洗浄組成物は、０．００５重量％〜１．５重量％、又は０．００１重量％〜０．５重量％、又は０．００２５重量％〜０．２５＊重量％の更なる界面活性剤を含み得る。
【００４６】
好適な双極性イオン界面活性剤は、典型的には、使用ｐＨにおいて電気的に中性になるように、実質的に等しい比率でカチオン性基及びアニオン性基を両方含有する。典型的なカチオン性基は、四級アンモニウム基であり、ホスホニウム基、イミダゾリウム基、及びスルホニウム基などの他の正に帯電している基を用いてもよい。典型的なアニオン性親水基は、カルボキシレート及びスルホネートであるが、サルフェート、ホスホネートなどの他の基を使用してもよい。
【００４７】
双極性イオン性界面活性剤（例えば、ベタイン／スルホベタイン界面活性剤など）のいくつかの一般的な例は、米国特許第２，０８２，２７５号、同第２，７０２，２７９号、及び同第２，２５５，０８２号に記載されている。例えば、ココヤシジメチルベタインは、Ｓｅｐｐｉｃから商標名Ａｍｏｎｙｌ  ２６５（登録商標）として市販されている。ラウリルベタインは、Ａｌｂｒｉｇｈｔ＆Ｗｉｌｓｏｎから商品名Ｅｍｐｉｇｅｎ  ＢＢ／Ｌ（登録商標）として市販されている。ベタインの更なる例は、Ｒｈｏｄｉａから商標名Ｍｉｒａｔａｉｎｅ  Ｈ２Ｃ−ＨＡ（登録商標）として市販されているラウリル−イミノジプロピオネートである。
【００４８】
スルホベタイン界面活性剤が特に好ましいが、その理由は、石鹸かすの洗浄を改善することができるためである。好適なスルホベタイン界面活性剤の例としては、タロービス（ヒドロキシエチル）スルホベタイン、ココアミドプロピルヒドロキシスルホベタインが挙げられ、これらは、Ｒｈｏｄｉａ及びＷｉｔｃｏからそれぞれ商標名Ｍｉｒａｔａｉｎｅ  ＣＢＳ（登録商標）及びＲｅｗｏｔｅｒｉｃ  ＡＭ  ＣＡＳ  １５（登録商標）として市販されている。
【００４９】
両性界面活性剤は、組成物のｐＨに依存してカチオン性又はアニオン性のいずれであることができる。好適な両性界面活性剤としては、ドデシルβ−アラニン、米国特許第２，６５８，０７２号に教示されているようにドデシルアミンをイセチオン酸ナトリウムと反応させることによって調製されるものなどのＮ−アルキルタウリン、米国特許第２，４３８，０９１号に教示されているものなどのＮ−高級アルキルアスパラギン酸、及び米国特許第２，５２８，３７８号に記載されているように商標名「Ｍｉｒａｎｏｌ」として販売されている製品が挙げられる。他の好適な更なる界面活性剤は、ＭｃＣｕｔｃｈｅｏｎ’ｓ  Ｄｅｔｅｒｇｅｎｔｓ  ａｎｄ  Ｅｍｕｌｓｉｆｅｒｓ、北米版、１９８０年に見出すことができる。
【００５０】
溶媒：
液体硬質表面洗浄組成物は、溶媒、特に、非水性溶媒を含み得る。好ましい溶媒としては、プロピレングリコールｎ−ブチルエーテル（ｄｏｗａｎｏｌ  ＰｎＢ）、トリプロピレングリコールメチルエーテル（ｄｏｗａｎｏｌ  ＴＰＭ）、ジプロピレングリコールｎ−プロピルエーテル（ｄｏｗａｎｏｌ  ＤＰｎＰ）、ジプロピレングリコールｎ−ブチルエーテル（ｄｏｗａｎｏｌ  ＤＰｎＢ）、トリプロピレングリコールｎ−ブチルエーテル（ｄｏｗａｎｏｌ  ＴＰｎＢ）、ジエチレングリコールｎ−ブチルエーテル（ブチルカルビトール）、ジエチレングリコールヘキシルエーテル（ヘキシルカルビトール）、ジエチレングリコールｎ−ブチルエーテルアセテート（ブチルカルビトールアセテート）、エチレングリコールヘキシルエーテル（ヘキシルセロソルブ）、トリエチレングリコールメチルエーテル（メトキシトリグリコール）、トリエチレングリコールエチルエーテル（エトキシトリグリコール）、トリエチレングリコールｎ−ブチルエーテル（ブトキシトリグリコール）、Ｕｃａｒ  ｆｉｌｍｅｒ  ｉｂｔ、トリメチルノナノール、プロピレングリコールジアセテート（ｄｏｗａｎｏｌ  ＰＧＤＡ）、ジプロピレングリコールメチルエーテル（ｄｏｗａｎｏｌ  ＤＰＭ）、これらの混合物が挙げられる。このような溶媒は、全組成物の０．００５重量％〜１０重量％、好ましくは０．０１重量％〜７．０重量％、より好ましくは０．０２５重量％〜５．５重量％、最も好ましくは０．２５重量％〜３．０重量％の当該溶媒の濃度で存在し得る。
【００５１】
溶媒と疎水変性カチオン性ポリマーとの組み合わせによって、泡立ちが少なくかつ汚れの緩和及び除去を改善する硬質表面洗浄組成物が得られる。また、溶媒とポリマーとの組み合わせによって、硬質表面へのポリマーの分布及び付着が改善され、処理された表面からの汚れの湿潤及び乳化が改善されると考えられる。
【００５２】
任意成分：
更なるポリマー：液体硬質表面洗浄組成物は、更なるポリマーを含み得る。本明細書に記載される特定のポリマーの存在は、存在する場合、油っぽい汚れの乳化が改善されるため、液体組成物のグリース除去性能を更に改善できることが見出されている。本明細書に用いるのに好適なポリマーは、同時係属の欧州特許出願第２２７２９４２（０９１６４８７２．５）号及び欧州登録特許第２０２５７４３（０７１１３１５６．９）号に開示されている。
【００５３】
ポリマーは、ビニルピロリドンホモポリマー（ＰＶＰ）、ポリエチレングリコールジメチルエーテル（ＤＭ−ＰＥＧ）、ビニルピロリドン／ジアルキルアミノアルキルアクリレート、又はメタクリレートコポリマー、ポリスチレンスルホネートポリマー（ＰＳＳ）、ポリビニルピリジン−Ｎ−オキシド（ＰＶＮＯ）、ポリビニルピロリドン／ビニルイミダゾールコポリマー（ＰＶＰ−ＶＩ）、ポリビニルピロリドン／ポリアクリル酸コポリマー（ＰＶＰ−ＡＡ）、ポリビニルピロリドン／酢酸ビニルコポリマー（ＰＶＰ−ＶＡ）、ポリアクリル酸ポリマー又はポリアクリル酸マレイン酸コポリマー、及びポリアクリル酸又はポリアクリル酸マレイン酸ホスホノ末端基コポリマー、並びにこれらの混合物からなる群から選択することができる。
【００５４】
液体硬質表面洗浄組成物は、全組成物の０．００１重量％〜２．２５重量％、好ましくは０．００２５重量％〜２．０重量％、より好ましくは０．０１重量％〜１．７５重量％、最も好ましくは０．０５重量％〜１．５重量％の当該ポリマーを含み得る。
【００５５】
増粘剤：液体硬質表面洗浄組成物は、増粘剤を含み得る。特に処理される表面に未希釈で塗布されると、増加した粘度、特に低い剪断粘度によって、より長い接触時間がもたらされるので、油汚れ及び／又は粒子状油汚れの浸透が改善して、洗浄効果が改善される。したがって、好ましくは、増粘剤を含む液体硬質表面洗浄組成物は、円錐角２°及び切頭部±６０ｍｍの４０ｍｍ円錐スピンドルを有する剪断速度１０ｓ−１のＡｔｌａｓ（登録商標）製ＡＤ１０００  Ａｄｖａｎｃｅｄレオメータを使用して測定したとき、２０℃で５０Ｐａ．ｓ〜６５０Ｐａ．ｓ、より好ましくは１００Ｐａ．ｓ〜５５０Ｐａ．ｓ、最も好ましくは１５０Ｐａ．ｓ〜４５０Ｐａ．ｓの粘度を有する。
【００５６】
好適な増粘剤としては、ポリアクリレート系ポリマー、好ましくは疎水変性ポリアクリレートポリマー、ヒドロキシエチルセルロース、好ましくは疎水変性ヒドロキシエチルセルロース、キサンタンガム、硬化ヒマシ油（ＨＣＯ）、及びこれらの混合物が挙げられる。
【００５７】
好ましい増粘剤は、ポリアクリレート系ポリマー、好ましくは、疎水変性ポリアクリレートポリマーである。好ましくは、主モノマーであるアクリル酸、アクリル酸エステル、酢酸ビニル、メタクリル酸、アクリルニトリル、及びこれらの混合物を主成分とする水溶性コポリマーであり、より好ましくは、コポリマーは、乳状で低粘度分散液の外観を有するメタクリル酸及びアクリル酸エステルを主成分とするものである。最も好ましい疎水（hydrologically）変性ポリアクリレートポリマーは、ＢＡＳＦより市販されているＲｈｅｏｖｉｓ（登録商標）ＡＴ１２０である。
【００５８】
他の好適な増粘剤としては、ヒドロキシエチルセルロース（ＨＭ−ＨＥＣ）、好ましくは疎水変性されたヒドロキシエチルセルロースがある。好適なヒドロキシエチルセルロース（ＨＭ−ＨＥＣ）としては、Ａｑｕａｌｏｎ／ＨｅｒｃｕｌｅｓよりＰｏｌｙｓｕｒｆ７６（登録商標）の製品名で、及び３Ｖ  ＳｉｇｍａよりＷ３０１の製品名で市販されるものがある。
【００５９】
キサンタンガムは、本明細書における使用に好適な増粘剤の１つである。キサンタンガムは、レオロジー変性剤及び安定剤として一般的に使用されている多糖類である。キサンタンガムは、キサントモナス・カンペストリス細菌によってグルコース又はスクロースの発酵によって産生される。好適なキサンタンガムは、ＣＰ  Ｋｅｌｃｏから商標名Ｋｅｌｚａｎ  Ｔ（登録商標）として市販されている。
【００６０】
硬化ヒマシ油は、本明細書における使用に好適な増粘剤の１つである。好適な硬化ヒマシ油は、Ｅｌｅｍｅｎｔｉｓから商標名ＴＨＩＸＣＩＮ  Ｒとして入手可能である。
【００６１】
本明細書で使用される最も好ましい増粘剤は、ＢＡＳＦから市販されている修飾メタクリル酸／アクリル酸コポリマーＲｈｅｏｖｉｓ（登録商標）ＡＴ１２０である。
【００６２】
使用するとき、液体硬質表面洗浄組成物は、全組成物の０．１重量％〜１０．０重量％、好ましくは０．２重量％〜５．０重量％、より好ましくは０．２重量％〜２．５重量％、最も好ましくは０．２重量％〜２．０重量％の当該増粘剤を含む。
【００６３】
キレート剤：液体硬質表面洗浄組成物は、キレート剤又は結晶成長阻害剤を含み得る。好適なキレート剤は、界面活性剤系と組み合わされて光沢効果を向上させる。キレート剤は、全組成物の０．０５重量％〜５．０重量％、好ましくは０．１重量％〜３．０重量％、より好ましくは０．２重量％〜２．０重量％、最も好ましくは０．２重量％〜０．４重量％の範囲の量で当該組成物に配合することができる。
【００６４】
好適なホスホネートキレート剤としては、エチレンジアミンテトラメチレンホスホネート、及びジエチレントリアミンペンタメチレンホスホネート（diethylene triamine penta methylene phosphonates、ＤＴＰＭＰ）が挙げられる。ホスホネート化合物は、その酸、又はその酸性官能基の一部若しくはすべてにおける異なるカチオンの塩として存在し得る。本明細書における使用に好ましいホスホネートキレート剤は、ジエチレントリアミンペンタメチレンホスホネート（ＤＴＰＭＰ）である。かかるホスホネートキレート剤は、Ｍｏｎｓａｎｔｏから商品名ＤＥＱＵＥＳＴ（登録商標）で市販されている。
【００６５】
本明細書における使用に好ましい生分解性キレート剤は、エチレンジアミンＮ，Ｎ’−二コハク酸、又はアルカリ金属塩若しくはアルカリ土類金属塩、アンモニウム塩若しくはそれらの置換アンモニウム塩、又はこれらの混合物である。エチレンジアミンＮ，Ｎ’−二コハク酸、特に（Ｓ，Ｓ）異性体については、Ｈａｒｔｍａｎ及びＰｅｒｋｉｎｓの米国特許第４，７０４，２３３号（１９８７年１１月３日発行）に広く説明されている。エチレンジアミンＮ，Ｎ’−二コハク酸は、例えば、Ｐａｌｍｅｒ  Ｒｅｓｅａｒｃｈ  Ｌａｂｏｒａｔｏｒｉｅｓから商標名（Ｓ，Ｓ）ＥＤＤＳ（登録商標）として市販されている。最も好ましい生分解性キレート剤は、Ａｋｚｏ  ＮｏｂｅｌよりＤｉｓｓｏｌｖｉｎｅ４７Ｓの商品名で市販されるＬ−グルタミン酸Ｎ，Ｎ−二酢酸（ＧＬＤＡ）である。
【００６６】
本明細書における使用に好適なアミノカルボキシレートとしては、酸形態、又はアルカリ金属塩、アンモニウム塩、及び置換アンモニウム塩形態の双方での、エチレンジアミン四酢酸、ジエチレントリアミン五酢酸、ジエチレントリアミン五酢酸（ＤＴＰＡ）、Ｎ−ヒドロキシエチルエチレンジアミン三酢酸、ニトリロ三酢酸、エチレンジアミンテトラプロピオネート、トリエチレンテトラアミン六酢酸、エタノールジグリシン、及びメチルグリシン二酢酸（ＭＧＤＡ）が挙げられる。本明細書における使用に特に好適なアミノカルボキシレートは、例えばＢＡＳＦより商品名Ｔｒｉｌｏｎ  ＦＳ（登録商標）で市販されるプロピレンジアミン四酢酸（ＰＤＴＡ）、及びメチルグリシン二酢酸（ＭＧＤＡ）である。本明細書における使用に最も好ましいアミノカルボキシレートは、ＢＡＳＦより販売されるジエチレントリアミン五酢酸（ＤＴＰＡ）である。更に、本明細書における使用のためのカルボン酸キレート剤としては、サリチル酸、アスパラギン酸、グルタミン酸、グリシン、マロン酸、又はこれらの混合物が挙げられる。
【００６７】
好適な脂肪酸としては、Ｃ８〜Ｃ２４脂肪酸のアルカリ塩が挙げられる。かかるアルカリ塩としては、脂肪酸のナトリウム塩、カリウム塩、及び／又はリチウム塩のような完全飽和金属塩、並びに脂肪酸のアンモニウム塩及び／又はアルキルアンモニウム塩が挙げられ、好ましくはナトリウム塩である。本明細書における使用に好ましい脂肪酸は、８〜２２個、好ましくは８〜２０個、より好ましくは８〜１８個の炭素原子を含有する。好適な脂肪酸は、カプリル酸、カプリン酸、ラウリン酸、ミリスチン酸、パルミチン酸、ステアリン酸、オレイン酸、及び、植物又は動物エステルのような天然原料由来の、適宜硬化された脂肪酸（例えばパーム油、オリーブ油、ココヤシ油、大豆油、ヒマシ油、獣脂、グラウンドオイル、鯨油及び魚油、並びに／又はババスオイル）の混合物から選択することができる。例えば、ココナッツ脂肪酸は、ＰＡＬＭＥＲＡＢ１２１１の名称にてＫＬＫ  ＯＬＥＡから市販されている。
【００６８】
典型的には、液体硬質表面洗浄組成物は、全組成物の６．０重量％以下の当該脂肪酸、好ましくは全組成物の０．１重量％〜３．０重量％、より好ましくは０．１重量％〜２．０重量％、最も好ましくは０．１５重量％〜１．５重量％の当該脂肪酸を含み得る。
【００６９】
典型的には、液体硬質表面洗浄組成物は、全組成物の２．０重量％以下、好ましくは０．１０重量％〜１．０重量％、より好ましくは０．１重量％〜０．８重量％、最も好ましくは０．１重量％〜０．５重量％の当該分枝状脂肪族アルコールを含み得る。
【００７０】
香料：液体硬質表面洗浄組成物は、好ましくは、香料を含む。好適な香料は、嗅覚的に魅力的な効果を提供する、及び／又は製品が有し得る何らかの「化学的」な臭いをマスクする。
【００７１】
表面の洗浄方法：
本発明の液体硬質表面洗浄組成物は、家庭の表面を洗浄するのに特に好適である。特に、このような組成物は、表面、特に硬質表面の光沢の改善に特に有用である。
【００７２】
普通の洗浄、特に床の洗浄に関して、好ましい洗浄方法は、
ａ）液体硬質表面洗浄組成物を０．１体積％〜２体積％の希釈濃度に希釈する工程と、
ｂ）希釈した組成物を硬質表面に適用する工程と、を含む。
【００７３】
好ましい実施形態では、液体硬質表面洗浄組成物を０．３体積％〜１．５体積％又は０．４体積％〜０．６体積％の濃度に希釈してよい。
【００７４】
希釈濃度は、希釈した組成物の合計量に対する、液体硬質表面洗浄組成物部分として定義される体積％として表される。例えば、５体積％の希釈濃度は、液体硬質表面洗浄組成物５０ｍＬが希釈組成物１０００ｍＬを形成するよう希釈されることに等しい。
【００７５】
希釈組成物は、モップ、スポンジ、又はその他の好適な用具を使用することを含む任意の好適な手段により適用することができる。
【００７６】
あるいは及びとりわけ、特に汚れた又は油っぽい箇所に関しては、液体硬質表面洗浄組成物を硬質表面に未希釈のまま塗布してもよい。
【００７７】
「未希釈」とは、液体組成物が何らかの著しい希釈を受けることなく、処理される表面に直接塗布されること、即ち、組成物を最初に希釈することなく、直接又はスポンジなどの用具を用いてのいずれかにより、本明細書の液体組成物が本明細書に記載されるように硬質表面に塗布されることと理解されるべきである。「著しい希釈」とは、組成物が、組成物の１０重量％未満、好ましくは５重量％未満、より好ましくは３重量％未満まで希釈されることを意味する。このような希釈は、水気のある用具を使用して、組成物を硬質表面、例えば「絞って」乾燥させたスポンジなどに塗布することにより行うことができる。
【００７８】
本発明の好ましい一実施形態では、当該硬質表面は、傾斜しているか又は垂直である。傾斜した、又は垂直な硬質表面としては、鏡、便器、小便器、ドレーン管、排水パイプなどが挙げられる。
【００７９】
本発明の別の好ましい実施形態では、硬質表面を洗浄する当該方法は、当該硬質表面上に当該液体組成物を塗布する、好ましくは噴霧する工程と、当該液体組成物を所定時間にわたって当該表面に作用するように残し、機械的動作を作用させて又は作用させることなく当該組成物を作用させる工程と、任意に当該液体組成物を除去する、好ましくは、当該硬質表面を水で洗い流す、及び／又は当該硬質表面を、例えばスポンジ、紙、又は布タオルなどの適切な器具で拭くことによって当該液体組成物を除去する工程と、を含む。
【００８０】
硬質表面洗浄組成物は、ワイプ又はパッド上に含まれていてもよい。このようなワイプ及びパッドは、家庭、自動車ガラスなどの自動車の表面などにみられるような硬質表面を洗浄するのに好適であり得る。好適なワイプは、繊維質であってよい。好適な繊維質ワイプは、ポリマー繊維、セルロース繊維、及びこれらの組み合わせを含み得る。好適なセルロースベースのワイプとしては、キッチンワイプなどが挙げられる。好適なポリマー繊維としては、ポリエチレン、ポリエステルなどが挙げられる。ポリマー繊維をスパンボンドしてワイプを形成することができる。熱的に結合された繊維質材料を調製する方法は、米国特許出願第０８／４７９，０９６号（Ｒｉｃｈａｒｄｓら）、１９９５年７月３日出願（特に１６〜２０頁を参照）及び米国特許第５，５４９，５８９号（Ｈｏｒｎｅｙら）、１９９６年８月２７日発行（特に、カラム９〜１０を参照）に記載されている。好適なパッドとしては、発泡体など、例えば、ＨＩＰＥ由来の疎水性高分子発泡体が挙げられる。このような発泡体及びその調製方法は、米国特許第５，５５０，１６７号（ＤｅｓＭａｒａｉｓ）、１９９６年８月２７日発行及び同一出願人による米国特許出願第０８／３７０，６９５号（Ｓｔｏｎｅら）、１９９５年１月１０日出願に記載されている。
【００８１】
また、本発明の組成物は、表面の光沢を改善するために使用することもできるが、その理由は、本発明のビーディング（beading）の結果、処理された表面上における残渣の形成が少なくなり、また、表面を拭いたときにより多くの残渣が除去されるためである。
【００８２】
更に、本発明の組成物において使用されるコポリマー及び組成物自体は、微生物の付着の低減、及び／又は表面におけるバイオフィルムの発達の低減、及び／又は表面からのバイオフィルムの洗浄の容易性の増大を含むいくつかの抗菌効果を有し得る。これらのポリマー、及び当該ポリマーを含む組成物は、洗浄効果のために使用されるが、これら二次的抗菌効果を有する。
【００８３】
方法：
Ａ）ｐＨ測定：
ｐＨは、取扱説明書に従って較正されたゲル充填プローブ（例えば、Ｔｏｌｅｄｏプローブ、部品番号５２  ０００  １００）を備えるＳａｒｔａｒｉｕｓ  ＰＴ−１０Ｐ  ｐＨメータを用いて、２５℃で、未希釈組成物に対して測定される。
【００８４】
Ｂ）石灰かすスポッティング：
標準的な顕微鏡用スライドグラス（Ｇｏｌｄ  Ｓｅａｌ  Ｒｉｔｅ−Ｏｎカタログ番号３０５０、Ｔｈｅｒｍｏ  Ｆｉｓｈｅｒ  Ｓｃｉｅｎｔｉｆｉｃから入手可能）を、当該スライドグラスのラベル部分まで試験組成物に浸漬した。当該スライドグラスを取り出し、過剰の試験組成物を容器内に戻した。次いで、当該スライドグラスを水平位置に放置して２４℃で１６時間乾燥させた。
【００８５】
シャワー中の石灰かすの付着を模倣するために、以下の手順を使用した：
スプレーボトルを用いて、顕微鏡用スライドグラスに４０℃の硬水（３．０８ｍｍｏｌ／Ｌ又は０．２５ｇ／Ｌ（１８．１ｇｐｇ））を噴霧し、当該スライドグラスから２３ｃｍ離れた箇所に当該ボトルを保持し、７回噴霧した（噴霧１回あたり液体１．５ｍＬ）。
【００８６】
次いで、当該スライドグラスに上記のとおり硬水を更に３回噴霧し、顕微鏡用スライドグラスを一晩乾燥させた。
【００８７】
噴霧サイクルを７回繰り返し、各サイクルの間に乾燥させた。
【００８８】
画像解析システムを用いて石灰かすのスポッティングの程度を測定し、任意の方向に２ｍｍ超のサイズを有するスポットを計数する。
【００８９】
Ｃ）石鹸かすスポッティング：
標準的な顕微鏡用スライドグラス（Ｇｏｌｄ  Ｓｅａｌ  Ｒｉｔｅ−Ｏｎカタログ番号３０５０、Ｔｈｅｒｍｏ  Ｆｉｓｈｅｒ  Ｓｃｉｅｎｔｉｆｉｃから入手可能）を、当該スライドグラスのラベル部分まで試験組成物に浸漬した。当該スライドグラスを取り出し、過剰の試験組成物を容器内に戻した。次いで、当該スライドグラスを水平位置に放置して２４℃で１６時間乾燥させた。
【００９０】
シャワー中の石鹸かす（石鹸及び石灰かすの組み合わせ）の付着を模倣するために、以下の手順を使用した：
スプレーボトルを用いて、顕微鏡用スライドグラスに４０℃の硬水（３．０８ｍｍｏｌ／Ｌ又は０．２５ｇ／Ｌ（１８ｇｐｇ））を噴霧し、当該スライドグラスから２３ｃｍ離れた箇所に当該ボトルを保持し、３回噴霧した（噴霧１回あたり液体１．５ｍＬ）。
【００９１】
石鹸かす懸濁液を以下のとおり調製した：９０ｇの脱塩水を使用して１０ｇのＤｉａｌ（商標）固形石鹸を一晩水和させた後、確実に均一に分散させるために十分混合した。次いで、その場で石鹸かすを形成するために、０．５ｇのこの懸濁液を４９．５ｇの脱塩水（１８Ｍ−オーム）に分散させた後、混合物を４５０ｇの硬水（３．０８ｍｍｏｌ／Ｌ又は０．２５ｇ／Ｌ（１８ｇｐｇ））に添加した。石鹸かす調製品を顕微鏡用スライドグラスに３回噴霧した（噴霧１回あたり液体１．５ｍＬ）。
【００９２】
次いで、当該スライドグラスに上記のとおり硬水を更に３回噴霧し、顕微鏡用スライドグラスを一晩乾燥させた。
【００９３】
硬水／石鹸かす／硬水の噴霧サイクルを１４回繰り返し、各サイクルの間に乾燥させた。
【００９４】
画像解析システムを用いて石鹸かすのスポッティングの程度を測定し、任意の方向に２ｍｍ超のサイズを有するスポットを計数する。
【００９５】
Ｄ）グリース洗浄：
２０４℃の温度で維持した食品用の脱蝋されていない大豆油に１２時間空気をスパージすることによって、部分的に架橋された大豆グリースを調製した。
【００９６】
水中３重量％のプロピレングリコールｎ−ブチルエーテルを用いて１２”×１２”（３０４．８ｍｍ×３０４．８ｍｍ）の鏡を洗浄した後、室温で空気乾燥させた。
【００９７】
４．５ミルのＭｙｌａｒ（商標）（厚さ０．１１ｍｍ）を用いて４”×４”（１０１．６ｍｍ×１０１．６ｍｍ）のマスクを調製した。当該マスクを鏡に適用し、飽和発泡体ロールを用いて、部分的に架橋された大豆グリースを鏡に塗布し、その結果、マスク内に１８５ｍｇ＋／−２ｍｇのグリースが塗布された。洗浄プロセスを開始する前に、グリースを２０分間固化させた。
【００９８】
紙タオル（Ｂｏｕｎｔｙ（商標）２プライ）を計量し、２つ折りにした。次いで、１ｋｇの重量を有する洗浄用具の下面に紙タオルを付着させた。手による洗浄を模倣するために、洗浄用具の下面は、高さ１５．８ｍｍ、幅１５．８ｍｍ、及び長さ１１１ｍｍの４つのリブを含んでおり、リブの頂部は丸みをおびており（半径７．９ｍｍ）、リブ間の距離は９．５５ｍｍであった。
【００９９】
鏡のマスクされた領域に２．６〜３．０ｍＬの試験組成物を噴霧した。次いで、鏡の表面を６回横方向の動作で拭き取り、その後、６回縦方向の動作で拭き取った。用具から紙タオルを取り外し、周囲温度で一晩乾燥させた後、再計量してグリースの付着量を測定した。
【０１００】
試験を４回繰り返し、結果を平均した。
【実施例】
【０１０１】
本発明の組成物において使用するのに好適なポリマーの非限定的な合成例
本発明の組成物において使用する疎水変性カチオン性ポリマーの例は、以下のとおり作製される。反応容器内に、以下の表１に記載されている量のモノマーを入れる：Ｎ，Ｎ，ジメチルアクリルアミド（ＮＤＭＡＡＭ  Ｎ，Ｎ−ジメチルアクリルアミド、Ａｌｄｒｉｃｈから入手可能、ｎ−オクタデシルアクリルアミド（ＯＤＡＡ、Ｐｏｌｙｓｃｉｅｎｃｅｓから入手可能）、ジメチルアミノプロピルメタクリルアミド（ＤＭＡＰＭＡ、Ａｌｄｒｉｃｈから入手可能）、Ｎ−２−エチルヘキシルアクリルアミド、Ａｕｒｏｒａ  Ｆｉｎｅ  Ｃｈｅｍｉｃａｌｓ，ＬＬＣ（Ｓａｎ  Ｄｉｅｇｏ，ＣＡ，９２１２６）から入手可能）、及びＮ−ドデシルアクリルアミド、ＴＣＩから入手可能、１Ｋポリジメチルシロキサン（ＰＤＭＳ、Ｇｅｌｅｓｔからカタログ番号ＭＣＲ−Ｍ１１として入手可能）、及び１０Ｋ  ＰＤＭＳ（Ｇｅｌｅｓｔからカタログ番号ＭＣＲ−Ｍ２２として入手可能）、及び溶媒（ＥＭＤ  Ｃｈｅｍｉｃａｌｓから入手可能な酢酸エチルを、全てのサンプルについて溶媒として使用）。
【０１０２】
反応容器を閉じ、同様に以下の表１に記載されている温度（反応温度℃）に加熱する。その温度になったら、反応容器を開け、フリットガス分散管を利用して約４分間、窒素又はアルゴンなどであるがこれらに限定されない不活性ガスで内容物をスパージする。スパージ中に、フリーラジカル開始剤Ｖ−６７（２，２’−アゾビス（２−メチルブチロニトリル）、Ｄｕｐｏｎｔから入手可能）又はＶ−７０（２，２’−アゾビス（２，４−ジメチル−４−メトキシバレロニトリル）、Ｗａｋｏから入手可能）を反応容器に添加する。サンプル２を除いて、使用したフリーラジカル開始剤はＶ−６７である。サンプル２のフリーラジカル開始剤は、Ｖ−７０である。フリーラジカル開始剤の量は以下の表１に記載されている。確実にフリーラジカル開始剤も一部スパージされるように、フリーラジカル開始剤を約１／２のスパージ時間に添加する。次いで、内容物を密閉し、以下の表１に既に記載した温度で、以下の表１に同様に記載されている時間維持する。経過時間（反応時間）が経過した後、得られたポリマー溶液を２３℃±２．２℃に冷却し、次いで、４０体積％〜８０体積％が酢酸エチルの酢酸エチル及びヘキサンの共溶液、例えば、５０体積％の酢酸エチル及び５０％のヘキサンに沈殿させる。沈殿物を溶媒混合物から単離し、乾燥させる。乾燥したら、生成物をそのまま使用してもよく、用途ごとに最適な溶媒系に溶解させてもよい。溶媒は水であってよい。反応が完了し、その結果、１００ｐｐｍ未満のモノマーが未反応のまま残る。得られたポリマーの重量平均分子量は、１００，０００〜５００，０００ダルトンであった。
【０１０３】
【表１】
2019529632.tif 000003
＊比較組成物で使用するため
１Ｎ，Ｎ，ジメチルアクリルアミド
２ｎ−オクタデシルアクリルアミド
３Ｃ８はＮ−２−エチルヘキシルアクリルアミドである
４Ｃ１２はＮ−ドデシルアクリルアミドである
５ジメチルアミノプロピルメタクリルアミド
６分子量１，０００Ｄａのポリジメチルシロキサン
７分子量１０，０００Ｄａのポリジメチルシロキサン
【０１０４】
【表２】
2019529632.tif 000004
＊比較組成物で使用するため
【０１０５】
【表３】
2019529632.tif 000005
＊比較
８四級化ビニルピロリドン／ジメチルアミノエチルメタクリルアミドコポリマー、Ａｓｈｌａｎｄ  Ｃｈｅｍｉｃａｌｓから入手可能。
【０１０６】
上記データから分かるように、本発明の硬質表面洗浄組成物は、石鹸かすのスポッティングを低減し、グリース洗浄を改善した。
【０１０７】
必要な濃度で以下の成分を混合することによって以下の組成物を調製した：
【０１０８】
【表４】
2019529632.tif 000006
【０１０９】
上記データから分かるように、本発明の硬質表面洗浄組成物（実施例５〜９）は、比較例（Ｃ及びＤ）に比べて石灰かすのスポッティングを低減した。
【０１１０】
以下は、本発明の非限定的な例である：
【０１１１】
【表５】
2019529632.tif 000007
９Ｓｔｅｐａｎによって供給されているＢｉｏｓｏｆｔ  Ｎ１−９
【０１１２】
本明細書に開示される寸法及び値は、記載された正確な数値に厳密に限定されるものと理解されるべきではない。むしろ、特に指示がない限り、このような各寸法は、記載された値及びその値の周辺の機能的に同等の範囲の両方を意味することが意図される。例えば、「４０ｍｍ」として開示される寸法は、「約４０ｍｍ」を意味するものとする。
【０１１３】
相互参照される又は関連する全ての特許又は特許出願、及び本願が優先権又はその利益を主張する任意の特許出願又は特許を含む、本願に引用される全ての文書は、除外又は限定することを明言しない限りにおいて、参照によりその全容が本願に援用される。いかなる文献の引用も、本明細書中で開示又は特許請求される任意の発明に対する先行技術であるとはみなされず、あるいはそれを単独で又は他の任意の参考文献（単数又は複数）と組み合わせたときに、そのような発明全てを教示、示唆、又は開示するとはみなされない。更に、本文書における用語の任意の意味又は定義が、参照することによって組み込まれた文書内の同じ用語の意味又は定義と矛盾する場合、本文書におけるその用語に与えられた意味又は定義が適用されるものとする。
【０１１４】
本発明の特定の実施形態を例示及び説明してきたが、本発明の趣旨及び範囲から逸脱することなく他の様々な変更及び修正を行うことができる点は当業者には明白であろう。したがって、本発明の範囲内に含まれるそのような全ての変更及び修正は、添付の特許請求の範囲にて網羅することを意図したものである。
【国際調査報告】
2019529632.tif 000009
2019529632.tif 000010
2019529632.tif 000011